(57)【特許請求の範囲】
【請求項１】
支柱の下端に設置用のベースを取り付けると共に、該支柱の上部の正面側にガスメータ取り付用の取り付け手段を備えてなるガスメータの支持装置において、該支持装置の支柱は断面コ字状の角パイプから構成されていることを特徴とする小型ガスメータの支持装置。
【発明の詳細な説明】
【技術分野】
【０００１】  本発明は、集合住宅等において小型ガスメータを設置する際に用いられる小型ガスメータの支持装置に関するものであり、詳しくは、壁面等の適切な設置場所を持たない場合に使用される小型ガスメータの支持装置に関する。
【背景技術】
【０００２】  通例、集合住宅や戸建住宅においては、屋内のパイプシャフトに配設されるフレキシブル管（ガス配管）に、膜式ガスメータが取り付けられるが、小型ガスメータは通常屋外に設置される。この例として、地中から立ち上げた出と入りのガス管の頂部にベント管等を用いて小型ガスメータを吊り下げるように取り付けるのが一般的である。【０００３】  例えば、屋内のパイプシャフトにおいては、特開２０１６−３５４１７号公報に紹介されているガスメータ支持装置のように、建物の壁面に対して取付金具を用いて小型ガスメータを取り付けるようにしているが、パイプシャフト内の壁面に強度がない場合は、壁面を利用して取り付けることができない。
【先行技術文献】
【特許文献】
【０００４】
【特許文献１】特開２０１６−３５４１７号公報
【発明の概要】
【発明が解決しようとする課題】
【０００５】  本発明の課題は、前述の如く、壁面を利用できない場所での小型ガスメータの取り付け手段を開示するものであるが、一般に、その様な場所は、狭い場合が多く、他の設備配管等が混在することから、同時に設置スペースを取らない支持装置である必要がある。そこで、本発明は、狭い設置空間で且つ簡易な構造で小型ガスメータを設置することができる支持装置を提供するものである。
【課題を解決するための手段】
【０００６】上記の課題を解決するために、本発明における請求項１記載の小型ガスメータ支持装置は、支柱の下端に設置用ベースを取り付けると共に、該支柱の上部の正面側にガスメータを固定するためのガスメータ取り付用の取り付け手段を備えてなるガスメータの支持装置において、該支持装置の支柱は断面コ字状の角パイプから構成されるようにしたのである。
【発明の効果】
【０００９】  本発明は、狭い空間でのガスメータの取り付け作業が容易となるだけでなく、上記の如く簡素な構造で構成したので、製作コストがかからず、ガスメータ支持装置全体の軽量、小型化を実現したものである。また、強度を向上させて安定化させるのに適した構造であることから、結果的にガスメータの誤作動の心配も軽減させることができる。
【図面の簡単な説明】
【００１０】
【図１】本発明の第１実施例の小型ガスメータの支持装置におけるガスメータの取り付け状態を示す外観説明図である。
【図２】本発明の第１実施例の支柱を説明する平面図である。
【図３】本発明の第１実施例の支柱を説明する断面図である。
【図４】本発明の第２実施例を示す小型ガスメータの支持装置の外観図である。
【図５】本発明の第２実施例の支柱を説明する平面図である。
【図６】本発明の第２実施例の支柱を説明する断面図である。
【図７】本発明の第３実施例を示す小型ガスメータの支持装置の外観図である。
【図８】本発明の第３実施例の支柱を説明する平面図である。
【図９】本発明の第３実施例の支柱を説明する断面図である。
【図１０】本発明の第４実施例を示す小型ガスメータの支持装置の外観図である。
【図１１】本発明の第４実施例の支柱を説明する平面図である。
【図１２】本発明の第４実施例の支柱を説明する断面図である。
【発明を実施するための形態】
【００１１】  本発明に係る小型ガスメータの支持装置は、好適には、パイプシャフト内等の狭い空間での利用を目的としているが、パイプシャフト外等の屋内外において使用することができる。
【００１２】  以下、図１から図１２の図面を参照して本発明の実施の形態について説明する。
【００１３】図１乃至図３は、本発明の第１実施例の小型ガスメータの支持装置であり、図１は、支柱キャップＣを外した状態での本発明に係る小型ガスメータの支持装置におけるガスメータＡの取り付け状態を示す外観説明図であって、Ａは小型ガスメータであって、この小型ガスメータＡは、上下流の接続管ａ・ｂを備えている。
【００１４】本発明に係る支持装置１は、全体の素材は金属製等の強固な材質から成り、支柱２となる各夫々の断面を有する中空筒体は、既成のコ字状のチャンネルやパイプ材を切断して制作することができる。また、他の組み合わせる部材も既成の部材を使用することができるので、製造コストを低減することができる。
【００１５】平板状の設置用ベース３は、パイプシャフトの床等の地面に固定される構造を有する平板状で且つ矩形または正方形の金属製プレートであり、四隅には、アンカーボルト４を挿通させる貫通孔が設けられている。そして、設置用ベース３上に、断面がコ字状の断面構造の角パイプから成る支柱２の下端を溶接して一体化する。設置の際には、パイプシャフト内の床にアンカーボルト４等を用いて支柱２が垂直に立つようにベース３を固定する。
【００１６】尚、頂部の開口部は、図２に図示の矩形プレート等から成る支柱キャップＣを溶接、またはボルト、ナット等で閉塞して雨水やコミの侵入を防いで使用する。
【００１７】一方、前記支柱２の正面側の頂部近傍には、小型ガスメータＡを取付るための取付穴２ａが備えられていて、支柱２より若干幅の狭い矩形状の取付プレート５を介してボルト５により、ガスメータＡを取り付ける。
【００１８】本発明の第１実施例の小型ガスメータの支持装置は、図３の断面図に示す通り、断面がコ字状の部材を使用しているので、ガスメータＡの取り付けの際は、背面側から手を挿入することができるため、取り付け作業がし易いだけでなく、断面矩形状のパイプ材を使用する場合と比較して、製造コストをより低減することができる。
【００１９】図４乃至図６は、本発明の第２の実施例を示す説明図であり、少なくとも二本の角パイプ製支柱２を所定の間隔を空けて下端の設置用ベース３に取り付けると共に、前記支柱２の上部には水平方向に少なくとも二本の角パイプ製梁材６・６を所定の間隔を空けて配置し、前記梁材６・６に設けた取付穴２ａに、図１と同様にガスメータＡを固定する。
【００２０】尚、この実施例では、更に下段に梁材６を設けることで、下方に水道メータ等の別装置を取り付けても良い。
【００２１】  図７及び図９は、本発明の第３の実施例を示す説明図であり、図７は、多角形の断面を有するパイプ支柱２を用いた例であり、パイプ支柱２の下端に設置用ベース３を取り付けると共に、前記支柱２の上部の正面側に設けた取付穴２ａに、先の実施例で示した図１と同様にガスメータＡを固定する。
【００２２】これに対して、図１１は、断面が矩形のパイプ支柱２を用いた例である。図１０及び図１２は、本発明の第４の実施例を示す説明図であり、パイプ支柱２の下端に設置用ベース３を取り付けると共に、前記支柱２の上部の正面側に設けた取付穴２ａに、図１と同様にガスメータＡを固定する。
【符号の説明】
【００２３】Ａ  ガスメータ
Ｃ  支柱キャップ
ａ  接続管
ｂ  接続管
１  支持装置
２  支柱
２ａ  取付穴
３  設置用ベース
４  アンカーボルト
５  取付プレート
６  梁材
【要約】      （修正有）【課題】小型ガスメータの設置が容易で、かつ軽量で製作コストが安い小型ガスメータの支持装置を提供する。【解決手段】小型ガスメータＡの支持装置は、断面がコ字状又は短形または多角型の角パイプ製支柱２の下端に設置用ベース３を取り付けると共に支柱２の上部の正面側または、支柱２の上部に所定間隔を空けて設けた二本の角パイプ製支柱２に設けた梁部材に小型ガスメータＡを固定するための小型ガスメータ取り付け用の取付手段を備える。【選択図】図１【図１】
0006052695.tif 000002
【図２】
0006052695.tif 000003
【図３】
0006052695.tif 000004
【図４】
0006052695.tif 000005
【図５】
0006052695.tif 000006
【図６】
0006052695.tif 000007
【図７】
0006052695.tif 000008
【図８】
0006052695.tif 000009
【図９】
0006052695.tif 000010
【図１０】
0006052695.tif 000011
【図１１】
0006052695.tif 000012
【図１２】
0006052695.tif 000013